(57)【特許請求の範囲】
【請求項１】
Ｘ線源と、前記Ｘ線源から照射されるＸ線の照射領域を制限してＸ線の照射野を形成するコリメータと、前記Ｘ線源から照射され被検者を通過したＸ線を検出するＸ線検出器と、Ｘ線撮影時における複数の撮影プロトコルを記憶するプロトコル記憶部と、前記コリメータにより設定される複数の照射野サイズを記憶する照射野サイズ記憶部と、前記プロトコル記憶部に記憶された複数の撮影プロトコルのうちから選択された撮影プロトコルに対応して、前記照射野サイズ記憶部に記憶された複数の照射野サイズのうちの一つを基準照射野サイズとして選択する照射野サイズ選択部と、を備えたＸ線撮影装置において、
前記照射野サイズ選択部により選択された照射野サイズの変更を指示する照射野サイズ変更指示部と、前記照射野サイズ変更指示部により、前記選択された撮影プロトコルによるＸ線撮影で使用する照射野サイズについて、前記照射野サイズ選択部により選択された照射野サイズの変更が指示されたときに、前記照射野サイズ記憶部に記憶された複数の照射野サイズのうち、前記選択された撮影プロトコルに対応する照射野サイズを他の照射野サイズと区別して表示する照射野サイズ表示部と、
を備えたことを特徴とするＸ線撮影装置。
【請求項２】
請求項１に記載のＸ線撮影装置において、
前記照射野サイズ表示部は、前記照射野サイズ変更指示部により照射野サイズの変更が指示されたときに、前記照射野サイズ記憶部に記憶された複数の照射野サイズのうち、前記選択された撮影プロトコルに対応する照射野サイズ以外の照射野サイズを選択不可能な状態で表示するＸ線撮影装置。
【請求項３】
請求項１に記載のＸ線撮影装置において、
前記照射野サイズ表示部は、前記照射野サイズ変更指示部により照射野サイズの変更が指示されたときに、前記照射野サイズ記憶部に記憶された複数の照射野サイズのうち、前記選択された撮影プロトコルに対応する照射野サイズのみを表示するＸ線撮影装置。
【請求項４】
請求項１から請求項３のいずれかに記載のＸ線撮影装置において、
前記照射野サイズ表示部は、前記照射野サイズ変更指示部により照射野サイズの変更が指示されたときに、前記基準照射野サイズに近い照射野サイズを前記選択された撮影プロトコルに対応する照射野サイズとともに、他の照射野サイズと区別して表示するＸ線撮影装置。
【発明の詳細な説明】
【技術分野】
【０００１】
この発明は、Ｘ線源と、このＸ線源から照射されるＸ線の照射領域を制限してＸ線の照射野を形成するコリメータと、Ｘ線源から照射され被検者を通過したＸ線を検出するフラットパネルディテクタ等のＸ線検出器とを備えたＸ線撮影装置に関する。
【背景技術】
【０００２】
このようなＸ線撮影装置においては、撮影プロトコルという手順が設定されている。この撮影プロトコルとは、撮影プログラムとも呼ばれるものであり、Ｘ線撮影を実行するときに、撮影部位に応じて、Ｘ線源としてのＸ線管の管電圧、管電流、Ｘ線照射時間等のＸ線撮影条件や、立位、臥位等の撮影方法、コリメータによるＸ線照射野サイズ、撮影画像の画質調整条件等を記憶したものである。アナトミカルプログラムと呼称される撮影条件、撮影部位、撮影方法を関連づけたデータ構造も、撮影プロトコルの一種である。
【０００３】
Ｘ線撮影装置においては、一般的に、コリメータにより形成される照射野サイズとして、各種のサイズが予め設定され、記憶されている。そして、Ｘ線撮影時に、複数の撮影プロトコルのうちから撮影プロトコルを選択した場合には、選択された撮影プロトコルに対応して、予め記憶された複数の照射野サイズのうちの一つが、基準照射野サイズとして選択される。
【０００４】
特許文献１には、例えば、「胸部正面」を撮影するために対応するボタンを選択した場合に、予めプリセットされている管電圧、管電流、照射時間等の撮影条件と、画像処理パラメータとが呼び出される放射線画像取得装置が開示されている。
【先行技術文献】
【特許文献】
【０００５】
【特許文献１】特開２００５−３１３２３号公報
【発明の概要】
【発明が解決しようとする課題】
【０００６】
撮影部位や条件によっては、撮影プロトコルを選択することにより自動的に選択された基準照射野サイズを変更する必要がある場合がある。このような場合には、オペレータがマニュアルでコリメータを移動させて照射野サイズを変更することも可能である。このとき、照射野サイズの設定をより効率的に実行するため、オペレータが予め設定されている複数の照射野サイズのうちの一つを選択すれば、コリメータがＸ線管焦点・受像面間距離に基づいて自動的に移動することにより、照射野サイズが自動的に設定される構成が採用されている。
【０００７】
この場合においは、オペレータは、予め設定されている全ての照射野サイズのうちから撮影条件に適した照射野サイズを選択する必要がある。この場合に、照射野サイズは、各部位、各撮影方法に対応して、極めて多数のものが予め設定されている。このため、これらの多数の照射野サイズから適切なものを選択することは、オペレータにとって大きな負担となる。また、オペレータが必要なサイズよりも小さな照射野サイズを誤って選択して撮影を行った場合には、Ｘ線撮影を再度実行する必要が生じ、必要なサイズより大きな照射野サイズを誤って選択した場合には、患者に必要以上のＸ線を照射することになることから、いずれの場合においても患者が無用な被曝を受けることになる。
【０００８】
この発明は上記課題を解決するためになされたものであり、Ｘ線撮影に適した照射野サイズを容易に選択および設定することが可能なＸ線撮影装置を提供することを目的とする。
【課題を解決するための手段】
【０００９】
請求項１に記載の発明は、Ｘ線源と、前記Ｘ線源から照射されるＸ線の照射領域を制限してＸ線の照射野を形成するコリメータと、前記Ｘ線源から照射され被検者を通過したＸ線を検出するＸ線検出器と、Ｘ線撮影時における複数の撮影プロトコルを記憶するプロトコル記憶部と、前記コリメータにより設定される複数の照射野サイズを記憶する照射野サイズ記憶部と、前記プロトコル記憶部に記憶された複数の撮影プロトコルのうちから選択された撮影プロトコルに対応して、前記照射野サイズ記憶部に記憶された複数の照射野サイズのうちの一つを基準照射野サイズとして選択する照射野サイズ選択部と、を備えたＸ線撮影装置において、前記照射野サイズ選択部により選択された照射野サイズの変更を指示する照射野サイズ変更指示部と、前記照射野サイズ変更指示部により、前記選択された撮影プロトコルによるＸ線撮影で使用する照射野サイズについて、前記照射野サイズ選択部により選択された照射野サイズの変更が指示されたときに、前記照射野サイズ記憶部に記憶された複数の照射野サイズのうち、前記選択された撮影プロトコルに対応する照射野サイズを他の照射野サイズと区別して表示する照射野サイズ表示部とを備えたことを特徴とする。
【００１０】
請求項２に記載の発明は、請求項１に記載のＸ線撮影装置において、前記照射野サイズ表示部は、前記照射野サイズ変更指示部により照射野サイズの変更が指示されたときに、前記照射野サイズ記憶部に記憶された複数の照射野サイズのうち、前記選択された撮影プロトコルに対応する照射野サイズ以外の照射野サイズを選択不可能な状態で表示する。
【００１１】
請求項３に記載の発明は、請求項１に記載のＸ線撮影装置において、前記照射野サイズ表示部は、前記照射野サイズ変更指示部により照射野サイズの変更が指示されたときに、前記照射野サイズ記憶部に記憶された複数の照射野サイズのうち、前記選択された撮影プロトコルに対応する照射野サイズのみを表示する。
【００１２】
請求項４に記載の発明は、請求項１から請求項３のいずれかに記載のＸ線撮影装置において、前記照射野サイズ表示部は、前記照射野サイズ変更指示部により照射野サイズの変更が指示されたときに、前記基準照射野サイズに近い照射野サイズを前記選択された撮影プロトコルに対応する照射野サイズとともに、他の照射野サイズと区別して表示する。  
【発明の効果】
【００１３】
請求項１に記載の発明によれば、予め設定されている複数の照射野サイズのうちからＸ線撮影に適した照射野サイズを容易に選択することができ、また、コリメータによる照射野サイズを選択されたサイズに自動的に設定することが可能となる。
【００１４】
請求項２および請求項３に記載の発明によれば、Ｘ線撮影に適した照射野サイズのみを確実に選択することが可能となる。
【００１５】
請求項４に記載の発明によれば、被検者の体格等にあわせて、より適切な照射野サイズを選択することが可能となる。
【図面の簡単な説明】
【００１６】
【図１】この発明に係るＸ線撮影装置を使用してＸ線撮影を行う様子を示す説明図である。
【図２】Ｘ線照射部３を、懸垂保持部４および水平移動部５とともに示す斜視図である。
【図３】コリメータ３２の概要図である。
【図４】この発明に係るＸ線撮影装置の主要な制御系を示すブロック図である。
【図５】照射野サイズ記憶部７２に記憶され、タッチパネル８に表示された複数の照射野サイズＡ、Ｂ、Ｃ、Ｄ、Ｅ、Ｆを示す模式図である。
【図６】照射野サイズの表示方法の第１実施形態を示す模式図である。
【図７】照射野サイズの表示方法の第２実施形態を示す模式図である。
【図８】照射野サイズの表示方法の第３実施形態を示す模式図である。
【発明を実施するための形態】
【００１７】
以下、この発明の実施の形態を図面に基づいて説明する。図１は、この発明に係るＸ線撮影装置を使用してＸ線撮影を行う様子を示す説明図である。
【００１８】
このＸ線撮影装置は、撮影室１００に設置されたものであり、被検者である患者Ｍを起立姿勢で撮影するための立位スタンド１と、患者Ｍを横たわらせた状態で撮影するための臥位テーブル２と、Ｘ線源としてのＸ線管３１とコリメータ３２とを備えるＸ線照射部３と、このＸ線照射部３を天井面５９から昇降可能な状態で懸垂保持する懸垂保持部４と、Ｘ線照射部３を天井面５９に沿って水平移動させる水平移動部５とを備える。Ｘ線照射部３は、懸垂保持部４および水平移動部５により、図１において実線で示す立位スタンド１によりＸ線撮影を実行する位置と、図１において二点鎖線で示す臥位テーブル２によりＸ線撮影を実行する位置との間を移動可能に構成されている。
【００１９】
立位スタンド１は、Ｘ線検出器としてのフラットパネルディテクタ７を収納するＸ線検出器収納部６を備える。このＸ線検出器収納部６は、図示しないガイド部材に案内されることにより、ケーシング１１に対して昇降可能となっている。また、臥位テーブル２は、基台２１と、患者Ｍを載置するテーブル２２と、フラットパネルディテクタ７を収納する立位スタンド１と同様のＸ線検出器収納部６とを備える。
【００２０】
図２は、Ｘ線照射部３を、懸垂保持部４および水平移動部５とともに示す斜視図である。
【００２１】
この水平移動部５は、懸垂保持部４に連結された支持部５１と、天井面５９に敷設された一対の固定レール５２と、この固定レール５２に沿って移動可能に接続された一対の可動レール５３とを備える。懸垂保持部４は、支持部５１を介して可動レール５３に接続されており、この支持部５１は、固定レール５２に沿った移動方向（Ｘ方向）に可動レール５３と一体的に移動するとともに、固定レール５２に沿った移動方向と直交する方向（Ｙ方向）に、可動レール５３に沿って移動可能に接続されている。
【００２２】
懸垂保持部４は、支持部５１に連結された伸縮部４１を備える。この伸縮部４１は、鉛直方向（図２に示すＺ方向）に伸縮可能に構成されおり、伸縮部４１の下端部には、Ｘ線照射部３が、水平方向を向く軸４２を介して揺動可能に接続されている。このＸ線照射部３は、軸４２を中心に揺動することにより、図１における立位スタンド１と対向する位置では、水平方向にＸ線を照射可能な状態となり、図１における臥位テーブル２と対向する位置では鉛直方向にＸ線を照射可能な状態となる。
【００２３】
図３は、上述したコリメータ３２の概要図である。
【００２４】
このコリメータ３２は、４枚のコリメータリーフ３３を備える。Ｘ線管３１からのＸ線はこれら４枚のコリメータリーフ３３により遮蔽され、矩形状のＸ線照射野Ｅが形成される。
【００２５】
撮影室１００と隣接する操作室１０１には、Ｘ線撮影装置によるＸ線撮影動作を操作するための操作部が配設されている。この操作部には、この発明に係る照射野サイズ変更指示部として機能する、入力機能と表示機能とを備えたタッチパネル式の入力・表示装置８（以下、単に「タッチパネル８」という）が配設されている。
【００２６】
図４は、この発明に係るＸ線撮影装置の主要な制御系を示すブロック図である。
【００２７】
このＸ線撮影装置は、制御部６０と記憶部７０とを備える。記憶部７０は、Ｘ線撮影時における複数の撮影プロトコルを記憶するプロトコル記憶部７１と、コリメータ３２により設定される複数の照射野サイズを記憶する照射野サイズ記憶部７２とを備える。また、制御部６０は、プロトコル記憶部７１に記憶された複数の撮影プロトコルのうちから選択された撮影プロトコルに対応して、照射野サイズ記憶部７２に記憶された複数の照射野サイズのうちの一つを基準照射野サイズとして選択する照射野サイズ選択部６１と、この照射野サイズ選択部６１により選択された照射野サイズの変更が指示されたときに、照射野サイズ記憶部７２に記憶された複数の照射野サイズのうち、選択された撮影プロトコルに対応する照射野サイズを他の照射野サイズと区別して表示する照射野サイズ表示部６２とを備える。この制御部６０は、上述したフラットパネルディテクタ７、Ｘ線管３１、コリメータ３２およびタッチパネル８と接続されている。
【００２８】
図５は、照射野サイズ記憶部７２に記憶され、タッチパネル８に表示された複数の照射野サイズＡ、Ｂ、Ｃ、Ｄ、Ｅ、Ｆを示す模式図である。
【００２９】
この実施形態においては、照射野サイズ記憶部７２には、１０インチ×１２インチである照射野サイズＡと、１４インチ×１４インチである照射野サイズＢと、８インチ×１０インチである照射野サイズＣと、１４インチ×１７インチである照射野サイズＤと、１７インチ×１７インチである照射野サイズＥと、１４インチ×１４インチである照射野サイズＦとが記憶され、タッチパネル８にこれらの照射野サイズＡ、Ｂ、Ｃ、Ｄ、Ｅ、Ｆが表示されている場合を示している。なお、説明の便宜上、この実施形態においては６種類の照射野サイズのみが記憶されている場合を示しているが、実際には、照射野サイズ記憶部７２には、より多数の照射野サイズが記憶されている。
【００３０】
以上のような構成を有するＸ線撮影装置においてＸ線撮影を行う場合には、オペレータは、最初に、タッチパネル８を利用して、記憶部７０におけるプロトコル記憶部７１に記憶された複数の撮影プロトコルのうちから、これから撮影を実行する撮影プロトコルを選択する。タッチパネル８により撮影プロトコルが選択された場合には、制御部６０は、プロトコル記憶部７１に記憶された撮影プロトコルの情報を読み出す。また、同時に、制御部６０における照射野サイズ選択部６１は、選択された撮影プロトコルに対応して、照射野サイズ記憶部７２に記憶された複数の照射野サイズのうちの、最適と思われる一つの照射野サイズを基準照射野サイズとして選択する。この基準照射野サイズは、タッチパネル８に表示される。
【００３１】
ここで、胸部撮影の撮影プロトコルが選択された場合には、例えば、１４インチ×１７インチである照射野サイズＤが基準照射野サイズとして選択される。また、膝部撮影の撮影プロトコルが選択された場合には、例えば、１０インチ×１２インチである照射野サイズＡが基準照射野サイズとして選択される。
【００３２】
選択された基準照射野サイズが撮影に適しているとオペレータが判断した場合には、そのまま、その照射野サイズを利用してＸ線撮影が実行される。一方、オペレータが他の照射野サイズが好ましいと判断した場合には、この発明に係る照射野サイズ変更指示部として機能するタッチパネル８を使用して、照射野サイズの変更を指示する。
【００３３】
照射野サイズの変更が指示された場合には、制御部６０における照射野サイズ表示部６２が、照射野サイズ記憶部７２に記憶された複数の照射野サイズのうち、選択された撮影プロトコルに対応する照射野サイズを他の照射野サイズと区別して表示する。ここで、「選択された撮影プロトコルに対応する照射野サイズ」とは、その撮影プロトコルに対応した撮影部位等の条件を考慮して、使用される可能性が高い照射野サイズを意味する。以下、この照射野サイズに表示方法の具体的な実施形態について説明する。
【００３４】
図６は、照射野サイズの表示方法の第１実施形態を示す模式図である。この図６においては、タッチパネル８に表示された複数の照射野サイズを模式的に示している。ここで、図６（ａ）は胸部撮影の撮影プロトコルが選択された場合を示し、図６（ｂ）は膝部撮影の撮影プロトコルが選択された場合を示している。
【００３５】
この第１実施形態においては、胸部撮影の撮影プロトコルが選択された場合には、図６（ａ）に示すように、照射野サイズ表示部６２は、この撮影プロトコルに対応する照射野サイズである１７インチ×１７インチの照射野サイズＥと１４インチ×１４インチの照射野サイズＦとを、標準照射野サイズである１４インチ×１７インチの照射野サイズＤとともに、タッチパネル８に対して選択可能な状態で表示するとともに、これらの照射野サイズ以外のこの撮影プロトコルに対応しない照射野サイズである１０インチ×１２の照射野サイズＡと、１４インチ×１４インチの照射野サイズＢと、８インチ×１０インチの照射野サイズＣとを、タッチパネル８に対して選択不可能な状態で表示している。
【００３６】
これにより、照射野サイズ記憶部７２に記憶された複数の照射野サイズＡ、Ｂ、Ｃ、Ｄ、Ｅ、Ｆのうち、胸部撮影に適した照射野サイズＤ、Ｅ、Ｆのみがタッチパネル８に選択可能な状態で表示されることから、予め設定されている複数の照射野サイズＡ、Ｂ、Ｃ、Ｄ、Ｅ、Ｆのうちから、胸部のＸ線撮影に適した照射野サイズを容易に選択することができる。そして、照射野サイズを選択した後に、制御部６０はコリメータ３２に指令を出し、４枚のコリメータリーフ３３の位置を選択された照射野サイズに対応する位置に移動させる。これにより、コリメータ３２による照射野サイズを選択されたサイズに自動的に設定することが可能となる。なお、基準照射野サイズである照射野サイズＤを再度タッチパネル８に表示するのは、この照射野サイズＤを再度選択することを可能とするためである。
【００３７】
一方、膝部撮影の撮影プロトコルが選択された場合には、図６（ｂ）に示すように、照射野サイズ表示部６２は、この撮影プロトコルに対応する照射野サイズである１４インチ×１４インチの照射野サイズＢと８インチ×１０インチの照射野サイズＣとを、標準照射野サイズである１０インチ×１２インチの照射野サイズＡとともに、タッチパネル８に対して選択可能な状態で表示するとともに、これらの照射野サイズ以外のこの撮影プロトコルに対応しない照射野サイズである１４インチ×１７インチの照射野サイズＤと、１７インチ×１７インチの照射野サイズＥと、１４インチ×１４インチの照射野サイズＦとを、タッチパネル８に対して選択不可能な状態で表示している。
【００３８】
これにより、照射野サイズ記憶部７２に記憶された複数の照射野サイズＡ、Ｂ、Ｃ、Ｄ、Ｅ、Ｆのうち、膝部撮影に適した照射野サイズＡ、Ｂ、Ｃのみがタッチパネル８に選択可能な状態で表示されることから、予め設定されている複数の照射野サイズＡ、Ｂ、Ｃ、Ｄ、Ｅ、Ｆのうちから、膝部のＸ線撮影に適した照射野サイズを容易に選択することができる。そして、照射野サイズを選択した後に、制御部６０はコリメータ３２に指令を出し、４枚のコリメータリーフ３３の位置を選択された照射野サイズに対応する位置に移動させる。これにより、コリメータ３２による照射野サイズを選択されたサイズに自動的に設定することが可能となる。なお、基準照射野サイズである照射野サイズＡを再度タッチパネル８に表示するのは、胸部撮影の場合と同様、この照射野サイズＡを再度選択することを可能とするためである。
【００３９】
図７は、照射野サイズの表示方法の第２実施形態を示す模式図である。この図７においても、タッチパネル８に表示された複数の照射野サイズを模式的に示している。ここで、図７（ａ）は胸部撮影の撮影プロトコルが選択された場合を示し、図７（ｂ）は膝部撮影の撮影プロトコルが選択された場合を示している。
【００４０】
この第２実施形態においては、胸部撮影の撮影プロトコルが選択された場合には、図７（ａ）に示すように、照射野サイズ表示部６２は、この撮影プロトコルに対応する照射野サイズである１７インチ×１７インチの照射野サイズＥと１４インチ×１４インチの照射野サイズＦとを、標準照射野サイズである１４インチ×１７インチの照射野サイズＤとともに、タッチパネル８に対して選択可能な状態で表示するとともに、これらの照射野サイズ以外のこの撮影プロトコルに対応しない照射野サイズである１０インチ×１２インチの照射野サイズＡと、１４インチ×１４インチの照射野サイズＢと、８インチ×１０インチの照射野サイズＣとを、タッチパネル８に対して非表示としている。
【００４１】
これにより、照射野サイズ記憶部７２に記憶された複数の照射野サイズＡ、Ｂ、Ｃ、Ｄ、Ｅ、Ｆのうち、胸部撮影に適した照射野サイズＤ、Ｅ、Ｆのみがタッチパネル８に選択可能な状態で表示されることから、予め設定されている複数の照射野サイズＡ、Ｂ、Ｃ、Ｄ、Ｅ、Ｆのうちから、胸部のＸ線撮影に適した照射野サイズを容易に選択することができる。そして、照射野サイズを選択した後に、制御部６０はコリメータ３２に指令を出し、４枚のコリメータリーフ３３の位置を選択された照射野サイズに対応する位置に移動させる。これにより、コリメータ３２による照射野サイズを選択されたサイズに自動的に設定することが可能となる。
【００４２】
一方、膝部撮影の撮影プロトコルが選択された場合には、図７（ｂ）に示すように、照射野サイズ表示部６２は、この撮影プロトコルに対応する照射野サイズである１４インチ×１４インチの照射野サイズＢと８インチ×１０インチの照射野サイズＣとを、標準照射野サイズである１０インチ×１２インチの照射野サイズＡとともに、タッチパネル８に対して選択可能な状態で表示するとともに、これらの照射野サイズ以外のこの撮影プロトコルに対応しない照射野サイズである１４インチ×１７インチの照射野サイズＤと、１７インチ×１７インチの照射野サイズＥと、１４インチ×１４インチの照射野サイズＦとを、タッチパネル８に対して非表示としている。
【００４３】
これにより、照射野サイズ記憶部７２に記憶された複数の照射野サイズＡ、Ｂ、Ｃ、Ｄ、Ｅ、Ｆのうち、膝部撮影に適した照射野サイズＡ、Ｂ、Ｃのみがタッチパネル８に選択可能な状態で表示されることから、予め設定されている複数の照射野サイズＡ、Ｂ、Ｃ、Ｄ、Ｅ、Ｆのうちから、膝部のＸ線撮影に適した照射野サイズを容易に選択することができる。そして、照射野サイズを選択した後に、制御部６０はコリメータ３２に指令を出し、４枚のコリメータリーフ３３の位置を選択された照射野サイズに対応する位置に移動させる。これにより、コリメータ３２による照射野サイズを選択されたサイズに自動的に設定することが可能となる。
【００４４】
図８は、照射野サイズの表示方法の第３実施形態を示す模式図である。この図８においても、タッチパネル８に表示された複数の照射野サイズを模式的に示している。ここで、図８（ａ）は胸部撮影の撮影プロトコルが選択された場合を示し、図８（ｂ）は膝部撮影の撮影プロトコルが選択された場合を示している。
【００４５】
この第３実施形態においては、胸部撮影の撮影プロトコルが選択された場合には、図８（ａ）に示すように、照射野サイズ表示部６２は、この撮影プロトコルに対応する照射野サイズである１７インチ×１７インチの照射野サイズＥと１４インチ×１４インチの照射野サイズＦとを、標準照射野サイズである１４インチ×１７インチの照射野サイズＤとともに、タッチパネル８に対して選択可能な状態で表示するとともに、標準照射野サイズである１４インチ×１７インチの照射野サイズＤに近い照射野サイズである１５インチ×１７インチの照射野サイズＤ１と１３インチ×１７インチの照射野サイズＤ２とをタッチパネル８に対して選択可能な状態で表示する。そして、これらの照射野サイズ以外のこの撮影プロトコルに対応しない照射野サイズである１０インチ×１２インチの照射野サイズＡと、１４インチ×１４インチの照射野サイズＢと、８インチ×１０インチの照射野サイズＣとを、タッチパネル８に対して非表示としている。
【００４６】
これにより、照射野サイズ記憶部７２に記憶された複数の照射野サイズＡ、Ｂ、Ｃ、Ｄ、Ｅ、Ｆのうち、胸部撮影に適した照射野サイズＤ、Ｅ、Ｆがタッチパネル８に選択可能な状態で表示されることから、予め設定されている複数の照射野サイズＡ、Ｂ、Ｃ、Ｄ、Ｅ、Ｆのうちから、胸部のＸ線撮影に適した照射野サイズを容易に選択することができる。また、標準照射野サイズＤに近い照射野サイズＤ１、Ｄ２がタッチパネル８に同時に表示されることから、患者Ｍの体格等にあわせて、より適切な照射野サイズを選択することが可能となる。そして、照射野サイズを選択した後に、制御部６０はコリメータ３２に指令を出し、４枚のコリメータリーフ３３の位置を選択された照射野サイズに対応する位置に移動させる。これにより、コリメータ３２による照射野サイズを選択されたサイズに自動的に設定することが可能となる。
【００４７】
一方、膝部撮影の撮影プロトコルが選択された場合には、図８（ｂ）に示すように、照射野サイズ表示部６２は、この撮影プロトコルに対応する照射野サイズである１４インチ×１４インチの照射野サイズＢと８インチ×１０インチの照射野サイズＣとを、標準照射野サイズである１０インチ×１２インチの照射野サイズＡとともに、タッチパネル８に対して選択可能な状態で表示するとともに、標準照射野サイズである１０インチ×１２インチの照射野サイズＡに近い照射野サイズである１０インチ×１３インチの照射野サイズＡ１と１０インチ×１１インチの照射野サイズＡ２とをタッチパネル８に対して選択可能な状態で表示する。そして、これらの照射野サイズ以外のこの撮影プロトコルに対応しない照射野サイズである１４インチ×１７インチの照射野サイズＤと、１７インチ×１７インチの照射野サイズＥと、１４インチ×１４インチの照射野サイズＦとを、タッチパネル８に対して非表示としている。
【００４８】
これにより、照射野サイズ記憶部７２に記憶された複数の照射野サイズＡ、Ｂ、Ｃ、Ｄ、Ｅ、Ｆのうち、膝部撮影に適した照射野サイズＡ、Ｂ、Ｃがタッチパネル８に選択可能な状態で表示されることから、予め設定されている複数の照射野サイズＡ、Ｂ、Ｃ、Ｄ、Ｅ、Ｆのうちから、膝部のＸ線撮影に適した照射野サイズを容易に選択することができる。また、標準照射野サイズＡに近い照射野サイズＡ１、Ａ２がタッチパネル８に同時に表示されることから、患者Ｍの体格等にあわせて、より適切な照射野サイズを選択することが可能となる。そして、照射野サイズを選択した後に、制御部６０はコリメータ３２に指令を出し、４枚のコリメータリーフ３３の位置を選択された照射野サイズに対応する位置に移動させる。これにより、コリメータ３２による照射野サイズを選択されたサイズに自動的に設定することが可能となる。
【００４９】
以上のように、この発明に係るＸ線撮影装置においては、照射野サイズ記憶部７２に記憶された複数の照射野サイズＡ、Ｂ、Ｃ、Ｄ、Ｅ、Ｆのうち、選択された撮影プロトコルに対応した照射野サイズが、その他の照射野サイズとは区別された状態でタッチパネル８に表示されることから、極めて多数の照射野サイズが照射野サイズ記憶部７２に記憶されていた場合においても、必要な照射野サイズを容易に選択することが可能となる。このため、Ｘ線撮影に適した照射野サイズを容易に選択することが可能となる。
【符号の説明】
【００５０】
１      立位スタンド
２      臥位テーブル
３      Ｘ線照射部
４      懸垂保持部
５      水平移動部
６      Ｘ線検出器収納部
７      フラットパネルディテクタ
８      タッチパネル
１１    ケーシング
２１    基台
２２    テーブル
２３    移動機構
３１    Ｘ線管
３２    コリメータ
３３    コリメータリーフ
４１    伸縮部
５１    支持部
５２    固定レール
５３    可動レール
５９    天井面
６０    制御部
６１    照射野サイズ選択部
６２    照射野サイズ表示部
７０    記憶部
７１    プロトコル記憶部
７２    照射野サイズ記憶部
１００  撮影室
１０１  操作室
Ｍ      患者
【図１】
0005966647.tif 000002
【図２】
0005966647.tif 000003
【図３】
0005966647.tif 000004
【図４】
0005966647.tif 000005
【図５】
0005966647.tif 000006
【図６】
0005966647.tif 000007
【図７】
0005966647.tif 000008
【図８】
0005966647.tif 000009